(57)【要約】【課題】ケーソンの中詰材としてスラグなどを用いた場合、その中詰材による海水の濁りの発生を防止できるとともに、中詰材の水中落下による単位体積重量の減少を防止できるケーソン中詰材投入方法を提供する。【解決手段】このケーソン中詰材投入方法は、ケーソンＣＡの内部にその底部ＢＴ近傍まで下端が延びるようにして投入管１０を設置し、投入管の下端１０ａから水が進入せずかつ投入管の内部に設けられた開閉式蓋部２０が閉塞するように開閉式蓋部から下方の投入管内に空気を注入し、投入管の上端から中詰材ＦＭを投入し、投入された中詰材の自重による圧力によって開閉式蓋部が開放し、中詰材が投入管内の気中で落下し、投入管の下端からケーソンの底部へと中詰材が排出され、次に、投入管を所定高さだけ引き上げてから空気の注入および中詰材の投入を繰り返す。【選択図】図１
2015140612.tif 000002
【特許請求の範囲】
【請求項１】
ケーソンの内部にその底部近傍まで下端が延びるようにして投入管を設置し、
前記投入管の下端から水が進入せずかつ前記投入管の内部に設けられた開閉式蓋部が閉塞するように前記開閉式蓋部から下方の前記投入管内に空気を注入し、
前記投入管の上端から中詰材を投入し、
前記投入された中詰材の自重による圧力によって前記開閉式蓋部が開放し、前記中詰材が前記投入管内の気中で落下し、
前記投入管の下端から前記ケーソンの底部へと前記中詰材が排出され、
前記投入管を所定高さだけ引き上げてから前記空気の注入および前記中詰材の投入を繰り返すことを特徴とするケーソン中詰材投入方法。
【請求項２】
ケーソンの内部にその底部近傍まで下端が延びるようにして投入管を設置し、
前記投入管の下端から水が進入せずかつ前記投入管の内部下側に設けられた下部開閉式蓋部が閉塞するように前記下部開閉式蓋部から下方の前記投入管内に空気を注入し、
前記投入管の上端から中詰材を投入し、
前記投入された中詰材の自重による圧力によって前記上部開閉式蓋部が開放し、前記中詰材が落下し前記下部開閉式蓋部の上に堆積し、
前記下部開閉式蓋部の上に堆積した中詰材の上端と前記上部開閉式蓋部との間の前記投入管内の空間に空気を注入することで、前記下部開閉式蓋部が開放し、前記中詰材が前記投入管内の気中で落下し、
前記投入管の下端から前記ケーソンの底部へと前記中詰材が排出され、
前記投入管を所定高さだけ引き上げてから前記空気の注入および前記中詰材の投入を繰り返すことを特徴とするケーソン中詰材投入方法。
【請求項３】
前記開閉式蓋部、前記下部開閉式蓋部および前記上部開閉式蓋部は、前記投入管において所定圧力以上の圧力が上部から加わることで開放し、所定圧力以上の圧力が下部から加わることで閉塞する請求項１または２に記載のケーソン中詰材投入方法。
【請求項４】
前記投入管を伸縮可能に構成し、前記投入管を引き上げても前記投入管の上端の高さ位置が一定である請求項１乃至３のいずれか１項に記載のケーソン中詰材投入方法。
【請求項５】
前記中詰材を前記ケーソン内の所定高さまで投入してから、その中詰材の上の海水を排出し、中詰材を投入しても海水が溢れて排出されない状態にしてから前記中詰材を直接投入することで、前記中詰材の天端の仕上げをする請求項１乃至４のいずれか１項に記載のケーソン中詰材投入方法。
【請求項６】
前記投入管の上端に上方に拡がる形状の漏斗形状部を設けた請求項１乃至５のいずれか１項に記載のケーソン中詰材投入方法。
【発明の詳細な説明】
【技術分野】
【０００１】
本発明は、ケーソンに中詰材を投入するケーソン中詰材投入方法に関する。
【背景技術】
【０００２】
防波堤や岸壁などの構築のため、ケーソンを所定水域の所定位置に据え付けた後、ケーソンには中詰材を投入している（たとえば、特許文献１参照）。かかる中詰材の投入は、海上で実施されるが、ケーソンの据付時には、ケーソン内に海水を投入して据え付けることが多く、その後、中詰材を投入してケーソンを安定させる。つまり、中詰材投入時には、ケーソン内は海水で満たされており、中詰材を投入することでその海水はケーソンの外に排出される。
【先行技術文献】
【特許文献】
【０００３】
【特許文献１】特開２０１３−０４０４７２号公報
【発明の概要】
【発明が解決しようとする課題】
【０００４】
ところで、ケーソンの中詰材には一般的に砂が使用される。砂の代わりに密度が高い材料（非鉄スラグ、製鋼スラグ等）を使用することで、設計計算において有利になることが多い。実際に検討すると、中詰材単位体積重量の増加により滑動に対する安定性が増し、ケーソンの幅を縮減することができるため、経済的な設計が可能となる。
【０００５】
ところが、中詰材として非鉄スラグ等を用いる場合、海水で満たされたケーソンに非鉄スラグ等が投入されると、ケーソンから濁った海水が排出されてしまい、環境上好ましくない。従来、中詰材に砂を用いる場合は、自然由来の材料であるため、濁り対策は実施されていないが、上述のようなスラグ等の投入時の濁りを防止する方法として以下の方法が考えられる。
・予め水洗いを行うこと等により投入する材料の細粒分をなくす。
・中詰材投入時にケーソンの外に排出される海水を濁水処理してから海に放水する。
【０００６】
しかし、水洗いによる対策は、事前の水洗い作業が必要となり、作業工程が増え、また、細粒分をなくすことで均等係数が小さくなり、ケーソン中詰材の単位体積重量が小さくなる。単位体積重量が小さくなると設計重量を確保できない可能性がある。また、濁水処理による対策は、濁水処理設備が必要となり、設備にコストがかかり、その上、濁水処理に時間がかかってしまう。この濁水処理の必要性が非鉄スラグ等をケーソンの中詰材として用いることの障害の一因となっていた。
【０００７】
本発明は、上述のような従来技術の問題に鑑み、ケーソンの中詰材としてスラグなどを用いた場合、その中詰材による海水の濁りの発生を防止できるとともに、中詰材の水中落下による単位体積重量の減少を防止できるケーソン中詰材投入方法を提供することを目的とする。
【課題を解決するための手段】
【０００８】
上記目的を達成するために、本実施形態によるケーソン中詰材投入方法は、ケーソンの内部にその底部近傍まで下端が延びるようにして投入管を設置し、前記投入管の下端から水が進入せずかつ前記投入管の内部に設けられた開閉式蓋部が閉塞するように前記開閉式蓋部から下方の前記投入管内に空気を注入し、前記投入管の上端から中詰材を投入し、前記投入された中詰材の自重による圧力によって前記開閉式蓋部が開放し、前記中詰材が前記投入管内の気中で落下し、前記投入管の下端から前記ケーソンの底部へと前記中詰材が排出され、前記投入管を所定高さだけ引き上げてから前記空気の注入および前記中詰材の投入を繰り返すことを特徴とする。
【０００９】
このケーソン中詰材投入方法によれば、投入管の下部に空気を注入して投入管の下端からの海水の進入を防止することで、ケーソンの底部から順に直接中詰材を充填することができるため、中詰材としてスラグなどを用いてもケーソン内の海水に濁りが発生しない。また、中詰材は、投入管内で気中落下となり、水中落下の場合の落下速度の低下や材料分離が生じないので、中詰材の単位体積重量が減少することがない。したがって、中詰材から細粒分を除去する必要がないため、細粒分が入っており、均等係数の高い、単位体積重量が大きくなりやすいスラグなどのような材料を中詰材として投入することができる。また、ケーソン内の海水に濁りが発生しないため、そのまま排出でき、濁水処理設備は不要である。
【００１０】
本実施形態による別のケーソン中詰材投入方法は、ケーソンの内部にその底部近傍まで下端が延びるようにして投入管を設置し、前記投入管の下端から水が進入せずかつ前記投入管の内部下側に設けられた下部開閉式蓋部が閉塞するように前記下部開閉式蓋部から下方の前記投入管内に空気を注入し、前記投入管の上端から中詰材を投入し、前記投入された中詰材の自重による圧力によって前記上部開閉式蓋部が開放し、前記中詰材が落下し前記下部開閉式蓋部の上に堆積し、前記下部開閉式蓋部の上に堆積した中詰材の上端と前記上部開閉式蓋部との間の前記投入管内の空間に空気を注入することで、前記下部開閉式蓋部が開放し、前記中詰材が前記投入管内の気中で落下し、前記投入管の下端から前記ケーソンの底部へと前記中詰材が排出され、前記投入管を所定高さだけ引き上げてから前記空気の注入および前記中詰材の投入を繰り返すことを特徴とする。
【００１１】
このケーソン中詰材投入方法によれば、投入管の下部に空気を注入して投入管の下端からの海水の進入を防止することで、ケーソンの底部から順に直接中詰材を充填することができるため、中詰材としてスラグなどを用いてもケーソン内の海水に濁りが発生しない。また、中詰材は、投入管内で気中落下となり、水中落下の場合の落下速度の低下や材料分離が生じないので、中詰材の単位体積重量が減少することがない。したがって、中詰材から細粒分を除去する必要がないため、細粒分が入っており、均等係数の高い、単位体積重量が大きくなりやすいスラグなどのような材料を中詰材として投入することができる。また、ケーソン内の海水に濁りが発生しないため、そのまま排水でき、濁水処理設備は不要である。さらに、投入管の上部と下部に開閉式蓋部を設け、下部開閉式蓋部は、上部に堆積した中詰材の自重のみでは開放せず、中詰材の上の空間に空気を注入して圧力を加えることで開放するようにしたので、投入管の上部の高さ不足や中詰材の投入量不足などの理由から、中詰材の自重のみでは下部開閉式蓋部が開放しない場合でも、開放させることができる。このため、投入管の設計の自由度が増し、また、中詰材投入量の管理の自由度が増す。また、下部開閉式蓋部が開放しているとき、上部開閉式蓋部が閉塞しているため、投入管の下方からの海水の浸入を防止できる。
【００１２】
上記ケーソン中詰材投入方法において、前記開閉式蓋部、前記下部開閉式蓋部および前記上部開閉式蓋部は、前記投入管において所定圧力以上の圧力が上部から加わることで開放し、所定圧力以上の圧力が下部から加わることで閉塞するようにすることが好ましい。
【００１３】
前記投入管を伸縮可能に構成し、前記投入管を引き上げても前記投入管の上端の高さ位置が一定であることが好ましい。
【００１４】
前記中詰材を前記ケーソン内の所定高さまで投入してから、その中詰材の上の海水を排出し、中詰材を投入しても海水が溢れて排出されない状態にしてから前記中詰材を直接投入することで、前記中詰材の天端の仕上げをすることが好ましい。
【００１５】
前記投入管の上端に上方に拡がる形状の漏斗形状部を設けることが好ましい。
【発明の効果】
【００１６】
本発明のケーソン中詰材投入方法によれば、ケーソンの中詰材としてスラグなどを用いた場合、その中詰材による海水の濁りの発生を防止できるとともに、中詰材の水中落下による単位体積重量の減少を防止できる。したがって、ケーソンの中詰材として従来の砂よりも単位体積重量が大きくなりやすいスラグなどの材料を用いることができ、ケーソンは、中詰材の単位体積重量の増加により、滑動に対する安定性が増し、また、ケーソンの幅を縮減することができるため経済的な設計が可能となる。
【図面の簡単な説明】
【００１７】
【図１】第１実施形態によるケーソン中詰材投入方法を説明するためにケーソン内部を概略的に示す図である。
【図２】第２実施形態によるケーソン中詰材投入方法の各工程を説明するためのフローチャートである。
【図３】第２実施形態によるケーソン中詰材投入方法の各工程を説明するためにケーソン内部を示す概略図（ａ）〜（ｉ）である。
【図４】図３の投入管の構成を概略的に示す縦断面図である。
【図５】第３実施形態によるケーソン中詰材投入方法の各工程を説明するためのフローチャートである。
【図６】第３実施形態によるケーソン中詰材投入方法の主要工程を説明するためにケーソン内部を示す概略図（ａ）〜（ｅ）である。
【図７】本実施形態におけるケーソン設計の検討例の断面を示す図である。
【図８】図７の検討例の各ケースの検討結果を示す表である。
【図９】銅スラグの単位体積重量の計測例を示す図であり、計測に用いた容器を示す概略図（ａ）および計測結果を示す表（ｂ）である。
【発明を実施するための形態】
【００１８】
以下、本発明を実施するための形態について図面を用いて説明する。
【００１９】
〈第１実施形態〉
図１は第１実施形態によるケーソン中詰材投入方法を説明するためにケーソン内部を概略的に示す図である。
【００２０】
図１のように、所定水域の水底に設置されたケーソンＣＡの内部は、海水Ｗで満たされている。ケーソンＣＡの内部に中詰材投入のための投入管１０を設置する。投入管１０の下端１０ａは、ケーソンＣＡの底部ＢＴの近傍まで延びている。投入管１０の上端には上方に拡がる形状の漏斗形状部１０ｂを設けることで、中詰材の投入が容易になっている。
【００２１】
投入管１０の内部の中間領域には開閉式蓋部２０が設けられている。開閉式蓋部２０は、一端において回転軸２０ａを中心にして回動可能に構成され、投入管１０の内部の下部１０ｃにおける圧力で上側の受け部２０ｂに当接して閉塞し、また、図１の破線のように中詰材ＦＭが投入され堆積すると、その中詰材ＦＭの自重による圧力で下側方向ｒに回動し開放するようになっている。
【００２２】
開閉式蓋部２０は下側方向ｒに回動し開放し中詰材が落下した後、開閉式蓋部２０の自重に抗して上側方向に回動するように（密閉状態でなくともよい）、回転軸２０ａの近傍にコイルばね等からなる付勢部材（図示省略）を有する。これにより、次の中詰材の投入のため投入管１０の下部１０ｃに空気を注入したとき、開閉式蓋部２０を円滑に閉塞させることができる。
【００２３】
投入管１０の内部の下部１０ｃには、ホースＨＳを通してコンプレッサＰが接続されている。コンプレッサＰを作動させ、下部１０ｃに空気を注入して所定圧力にすることで、投入管１０の下端１０ａから空気が下部１０ｃに進入しないとともに、開閉式蓋部２０が受け部２０ｂに当接して投入管１０を閉塞する。
【００２４】
開閉式蓋部２０が投入管１０の下部１０ｃ内の空気による下からの圧力で閉塞している状態で、中詰材ＦＭが投入されて開閉式蓋部２０の上に貯まると、その中詰材ＦＭの自重による上からの圧力で開閉式蓋部２０が下側方向ｒに回動し開放する。この場合の開閉式蓋部２０の上下の圧力関係について図１を参照して説明する。
【００２５】
海水の単位体積重量を10.3kN/m3、水深（図１の海水Ｗの水面から投入管１０の下端１０ａまでの高さ）をh(m)とすると、投入管１０の下端１０ａには、h×10.3kN/m2の水圧がかかるので、投入管１０の下部１０ｃ内の空気により開閉式蓋部２０は、下からh×10.3kN/m2の圧力を受けている。自然状態のスラグを中詰材として投入し、投入管１０の上部１０ｄにおいて上端から開閉式蓋部２０まで気中落下させた場合、スラグは、その乾燥単位体積重量19.5kN/m3（土粒子密度3.5程度のスラグを想定）で堆積し、その高さをH(m)とすると、このスラグの自重による圧力は、H×19.5kN/m2である。中詰材の自重による圧力H×19.5kN/m2が、h×10.3kN/m2以上となった場合、開閉式蓋部２０は下側方向ｒに回動して開放する。すなわち、10.3×h≦19.5×Hの場合に開放されるので、H≧0.53×hとなり、これから、投入管１０の開閉式蓋部２０から上端までの高さ（投入管１０の上部１０ｄの高さ）Hは、水深hの0.53倍以上必要となる。
【００２６】
上述のようにして、中詰材が投入管１０内を気中落下し、下端１０ａからケーソンＣＡの底部ＢＴへと排出されることで、ケーソンＣＡの内部の上端から海水Ｗが溢れて排出される。次に、投入管１０を所定高さだけ引き上げてから、投入管１０の下部１０ｃへのコンプレッサＰによる空気の注入および中詰材の投入を繰り返す。かかる投入により中詰材がケーソンＣＡの底部ＢＴから順に堆積し、所定高さになると、ケーソンＣＡの上部数ｍは中詰材を投入せずに海水を排出し、中詰材を投入しても海水が溢れて排出されない状態にしてから、中詰材を直接投入し、天端を仕上げる。
【００２７】
以上のように、本実施形態のケーソン中詰材投入方法によれば、ケーソンＣＡの内部に中詰材の投入管１０を底部ＢＴ近傍まで延びるようにして設置し、投入管１０の下部１０ｃに空気を注入して投入管１０内にその下端１０ａから海水が進入するのを防止することで、ケーソンＣＡの底部ＢＴから順に直接中詰材を充填することができるため、中詰材としてスラグを用いてもケーソンＣＡ内の海水に濁りが発生しない。したがって、スラグ等の中詰材が投入されてケーソンＣＡ内から溢れる海水で周辺水域が汚れることはない。
【００２８】
また、中詰材は、投入管１０内で気中落下となるため、水中落下の場合の落下速度の低下や材料分離が生じない。このため、中詰材の単位体積重量が減少することもない。したがって、中詰材から細粒分を除去する必要がないため、細粒分が入っており、均等係数の高い、単位体積重量が大きくなりやすいスラグなどのような材料を中詰材として投入することができる。また、ケーソンＣＡ内の海水に濁りが発生しないため、そのまま排水でき、濁水処理設備は不要である。
【００２９】
なお、投入管１０の下端１０ａから海水が進入しないように下部１０ｃ内の圧力を管理することが必要である。また、中詰材として使用可能なスラグは、たとえば、精錬所から発生する銅スラグなどがあるが、これに限定されるものではない。
【００３０】
また、中詰材の自重により開閉式蓋部２０が開放して中詰材が投入管１０内を落下するとき、投入管１０の下部１０ｃ内の圧力が開放されるため、投入管１０の下端１０ａから海水が進入し、この海水の下からの圧力により開閉式蓋部２０が閉塞し、中詰材の落下が中断する可能性があるが、開閉式蓋部２０の上に残った中詰材は、次の投入時に落下するので問題はない。
【００３１】
〈第２実施形態〉
図２は第２実施形態によるケーソン中詰材投入方法の各工程を説明するためのフローチャートである。図３（ａ）〜（ｉ）は第２実施形態によるケーソン中詰材投入方法の各工程を説明するためにケーソン内部を示す概略図である。図４は図３の投入管の構成を概略的に示す縦断面図である。なお、本実施形態の図１と同様の構成部分は、同じ符号を付し、その説明は省略する。
【００３２】
本実施形態におけるケーソンへの中詰材投入のための投入管１０は、図３，図４のように、大径の管１１〜小径の管１４により伸縮可能に構成され、管１１，１２，１３，１４が下側から順に上側へと配置されている。投入管１０は上端・下端を除いて気密性が確保されている。
【００３３】
図４のように、投入管１０の管１１〜１３が伸びた状態で、管１１は上端の内側突出部１１ａが管１２の下端の外側突出部１２ｂに係合し支持され、管１２は上端の内側突出部１２ａが管１３の下端の外側突出部１３ｂに係合し支持され、管１３は上端の内側突出部１３ａが管１４の下端の外側突出部１４ｂに係合し支持されている。投入管１０は、下側の大径の管１１から順に引き上げ機構によって上方に引き上げられるように構成されている。
【００３４】
すなわち、図４のように、投入管１０の最下段の管１１の外周に複数のワイヤ２１の下端２１ａが固定され、ワイヤ２１は、投入管１０の上端の近傍に配置されたプーリ２２を介してウインチ（図示省略）により所定長さだけ巻き取られて上方に引き上げられることで、管１１が所定高さだけ引き上げられる。管１２は、管１１が引き上げられて管１１の内周の当接部１１ｂが管１２の下端の外側突出部１２ｂに当接することで、所定高さだけ引き上げられる。管１３は、同様にして、管１２が引き上げられて管１２の内周の当接部１２ｃが管１３の下端の外側突出部１３ｂに当接することで、所定高さだけ引き上げられる。
【００３５】
上述のようにして、管１１〜１３は、ワイヤ２１の巻き取りにより順に引き上げられ、投入管１０の下端１０ａの位置は、ワイヤ２１の巻き取り長さによって所定高さに調整することができる。このようにして、投入管１０を引き上げて投入管１０の下端１０ａの位置を順次高くしても、それに応じて投入管１０の全体長さが減少するので、投入管１０の上端の高さ位置は、変わらずに一定である。なお、管１１〜１３を引き上げた状態から、ワイヤ２１を緩めることで、管１１〜１３は自重で降下し、図４の状態に戻る。
【００３６】
図２〜図４を参照して本実施形態によるケーソンへの中詰材投入の各工程を説明する。まず、図３（ａ）のように、ケーソンＣＡの内部に図４の投入管１０を設置し（Ｓ０１）、コンプレッサＰを作動させて投入管１０の下部１０ｃ内に空気を注入する（Ｓ０２）。かかる空気の注入により投入管１０の下端１０ａから上方は空気で満たされ、開閉式蓋部２０は上方に回動して閉塞する（Ｓ０３）。
【００３７】
次に、図３（ｂ）のように、投入管１０に上端の漏斗形状部１０ｂからスラグからなる中詰材ＦＭを投入し（Ｓ０４）、中詰材ＦＭは開閉式蓋部２０の上に堆積する。
【００３８】
図１で説明したように、投入管１０の上部１０ｄに堆積した中詰材ＦＭの自重による圧力が下部１０ｃ内の空気の圧力を超えると、図３（ｃ）のように、開閉式蓋部２０が開放し（Ｓ０５）、中詰材ＦＭが下部１０ｃ内の気中を自然落下する（Ｓ０６）。
【００３９】
落下した中詰材ＦＭは、図３（ｄ）のように、投入管１０の下端１０ａから流れ出し、ケーソンＣＡの底部ＢＴへと排出される。次に、図４の引き上げ機構によりワイヤ２１を上方に引き上げ、図３（ｅ）のように、最下段の管１１を引き上げる（Ｓ０８）。
【００４０】
次に、空気注入工程Ｓ０２に戻り、同様の工程を経て中詰材ＦＭを投入し、投入管１０の下端１０ａから排出する。このようにして、各工程を繰り返し、図３（ｆ）のように、中詰材ＦＭがケーソンＣＡ内で堆積し、ケーソンＣＡの上部数ｍに達する高さになると、投入管１０からの中詰材の投入が終了する（Ｓ０７）。
【００４１】
次に、中詰材ＦＭの天端仕上げ処理を行う（Ｓ０９）。すなわち、図３（ｇ）のように、ケーソンＣＡの上部に残った海水をポンプ２５により排出する。排水後、図３（ｈ）のような状態から中詰材を投入しても海水が溢れて排出されない状態にし、その後、さらに中詰材ＦＭを直接投入し、図３（ｉ）のように、天端を仕上げる。
【００４２】
本実施形態のケーソン中詰材投入方法によれば、上述のように構成したので、図１と同様の効果を得ることができるとともに、投入管１０を伸縮可能に構成することで、中詰材の繰り返し投入のために下端１０ａを引き上げても、投入管１０の上端の高さ位置は、変わらずに一定であるので、中詰材の投入高さ位置の変更が不要であり、投入設備の大型化および複雑化が防止できる。
【００４３】
〈第３実施形態〉
図５は第３実施形態によるケーソン中詰材投入方法の各工程を説明するためのフローチャートである。図６（ａ）〜（ｅ）は第３実施形態によるケーソン中詰材投入方法の主要工程を説明するためにケーソン内部を示す概略図である。本実施形態は、図３，図４の構成に対し、開閉式蓋部を投入管の上部にも配置した構成で、図３，図４と同様の構成部分は、同じ符号を付し、その説明は省略する。
【００４４】
図６（ａ）〜（ｅ）のように、本実施形態は、投入管１０の中間の下部開閉式蓋部２０に加えて、投入管１０の上端に下部開閉式蓋部２０と同様の構成の上部開閉式蓋部２７を設け、また、コンプレッサＰが切替バルブ２８を介して投入管の下部１０ｃおよび上部１０ｄに接続するように構成したものである。
【００４５】
図５，図６を参照して本実施形態によるケーソンへの中詰材投入の各工程を説明する。まず、ケーソンＣＡの内部に図４の投入管１０を設置し（Ｓ１１）、コンプレッサＰから切替バルブ２８を介して投入管１０の下部１０ｃ内に空気を注入する（Ｓ１２）。かかる空気の注入により投入管１０の下端１０ａから上方は空気で満たされ、下部開閉式蓋部２０は閉塞する（Ｓ１３）。
【００４６】
次に、投入管１０の漏斗形状部１０ｂからスラグからなる中詰材ＦＭを投入する（Ｓ１４）。図６（ａ）のように、上部開閉式蓋部２７の上に貯まった中詰材ＦＭの自重による圧力で、上部開閉式蓋部２７が開放し（Ｓ１５）、中詰材ＦＭが投入管１０の上部１０ｄ内の気中を自然落下し、下部開閉式蓋部２０の上に堆積する（Ｓ１６）。
【００４７】
この堆積した中詰材ＦＭの自重のみによる圧力では下部開閉式蓋部２０は未だ開放しないので、図６（ｂ）のように、投入管１０の上部１０ｄ内の中詰材ＦＭの上端と上部開閉式蓋部２７との間の空間１０ｅにコンプレッサＰから切替バルブ２８を介して空気を注入する（Ｓ１７）。
【００４８】
次に、投入管１０の上部１０ｄに堆積した中詰材ＦＭの自重による圧力と空間１０ｅにおける空気の圧力との和が下部１０ｃ内の空気の圧力を超えると、図６（ｃ）のように、下部開閉式蓋部２０が開放し（Ｓ１８）、中詰材ＦＭが下部１０ｃ内の気中を自然落下する（Ｓ１９）。
【００４９】
落下した中詰材ＦＭは、図６（ｄ）のように、投入管１０の下端１０ａから流れ出し、ケーソンＣＡの底部ＢＴへと排出される。次に、図４の引き上げ機構によりワイヤ２１を上方に引き上げ、図６（ｅ）のように、最下段の管１１を引き上げる（Ｓ２１）。
【００５０】
次に、空気注入工程Ｓ１２に戻り、同様の工程を経て中詰材ＦＭを投入し、投入管１０の下端１０ａから排出する。このようにして、各工程を繰り返し、上述の図３（ｆ）のように、中詰材ＦＭがケーソンＣＡ内で堆積し、ケーソンＣＡの上部数ｍに達する高さになると、投入管１０からの中詰材の投入が終了する（Ｓ２０）。
【００５１】
次に、図３（ｇ）〜（ｉ）と同様にして、中詰材ＦＭの天端仕上げ処理を行う（Ｓ２２）。
【００５２】
本実施形態のケーソン中詰材投入方法によれば、上述のように構成したので、図２〜図４と同様の効果を得ることができるとともに、投入管１０の上部と下部に開閉式蓋部２７，２０を設け、下部開閉式蓋部２０は、上部１０ｄに堆積した中詰材ＦＭの自重のみでは開放せず、中詰材ＦＭの上の空間１０ｅに空気を注入して圧力を加えることで開放するようにしたので、投入管１０の上部１０ｄの高さ不足や中詰材ＦＭの投入量不足などの理由から、中詰材ＦＭの自重のみでは下部開閉式蓋部２０が開放しない場合でも、開放させることができる。このように、空間１０ｅへの空気注入による投入管１０の上部１０ｄ内の圧力を調整することで、中詰材の投入を制御することができる。このため、投入管１０の設計の自由度が増し、また、中詰材投入量の管理の自由度が増す。また、下部開閉蓋部２０を開放した際、上部開閉蓋部２７は閉塞しているため、投入管１０の下方から海水が浸入しない。
【００５３】
以上のように、上記各実施形態によれば、ケーソンの中詰材として従来の砂よりも単位体積重量が大きくなりやすいスラグなどの材料を用いることができる。このため、ケーソンは、中詰材の単位体積重量の増加により、滑動に対する安定性が増し、また、ケーソンの幅を縮減することができるため経済的な設計が可能となる。
【００５４】
次に、ケーソンの具体的な検討例について図７，図８を参照して説明する。図７は本実施形態におけるケーソン設計の検討例の断面を示す図である。図８は図７の検討例の各ケースの検討結果を示す表である。ケース１は中詰材として砂を想定し、ケース２〜５は、中詰材として飽和単位体積重量が砂よりも大きい材料を想定し、ケース１に対しケーソンの幅（堤体幅）を縮減した場合のケーソンの安定性を検討したものである。その結果、図８のように、中詰材が砂であるケース１に対して、ケース２，３，５が中詰材として砂よりも飽和単位体積重量が大きくなりやすい材料を用いることで、堤体幅を縮減しつつケーソンの安定性を確保できることが判明した。
【００５５】
また、本発明者等は、銅スラグを例にして単位体積重量を計測した。すなわち。図９（ａ）の容器を用いて、銅スラグを容器上端から投入し、水中落下、および、気中落下させ、投入後、容器下部30cmにおける単位体積重量を計測した。その計測結果を図９（ｂ）の表に示す。この計測結果によれば、この銅スラグの飽和単位体積重量および乾燥単位体積重量は、水中落下の場合よりも気中落下の場合の方が大きく、本実施形態のように、中詰材として銅スラグを用い、投入管内を気中落下させることで、大きな単位体積重量にできることが判明した。このように、銅スラグを気中落下させることで、投入時の材料分離がなく、必要な単位体積重量を確保できることがわかる。
【００５６】
以上のように本発明を実施するための形態について説明したが、本発明はこれらに限定されるものではなく、本発明の技術的思想の範囲内で各種の変形が可能である。たとえば、投入管１０は、円筒管が好ましいが、これに限定されず、角筒管であってもよい。
【００５７】
また、投入管１０は、鋼管から構成されるが、これに限定されず、たとえば樹脂材料のような軽量材料から構成されてもよく、投入管を軽量化すれば、中詰材投入の施工が容易となる。他方、投入管１０内には空気が満たされ、投入管１０に浮力が発生するため、浮き上がりを防止できる重量および構造が必要となる場合がある。したがって、施工の容易性と投入管の浮き上がり防止性とが調和するように、またはいずれか一方を重視する場合はそのように、投入管の材料や重量・構造等を決めることが望ましい。
【００５８】
また、必要に応じて、ケーソン内部へ中詰材を投入した後に中詰材を締固めることで中詰材の単位体積重量を大きくするようにしてもよい。
【産業上の利用可能性】
【００５９】
本発明のケーソン中詰材投入方法によれば、ケーソンの中詰材としてスラグなどを投入しても、特別な濁水処理設備等を設置することなく、その中詰材による海水の濁りの発生を防止できるので、スラグを中詰材として用いることができ、このため、ケーソンの幅を縮減しつつケーソンの滑動に対する安定性を確保できる。したがって、安定性がよく経済的な設計が可能な防波堤や岸壁などの実現に寄与することができる。
【符号の説明】
【００６０】
１０ 投入管
１０ａ 投入管の下端
１０ｂ 漏斗形状部
１０ｃ 投入管の下部
１０ｄ 投入管の上部
１１〜１４ 管
２０ 開閉式蓋部、下部開閉式蓋部
２１ ワイヤ
２７ 上部開閉式蓋部
ＢＴ 底部
ＣＡ ケーソン
ＦＭ 中詰材
Ｐ コンプレッサ
Ｗ 海水
【図１】
2015140612.tif 000003
【図２】
2015140612.tif 000004
【図３】
2015140612.tif 000005
【図４】
2015140612.tif 000006
【図５】
2015140612.tif 000007
【図６】
2015140612.tif 000008
【図７】
2015140612.tif 000009
【図８】
2015140612.tif 000010
【図９】
2015140612.tif 000011